(57)【要約】【課題】  ２つの筐体内の、それぞれの回路基板間を回路接続するフレキシブルプリント配線板が、その回路接続用のコネクタの近傍に配置される部品の上に乗り上げてしまうような状況でも、そのコネクタが筐体内の回路基板側のコネクタと確実に回路接続することが可能な接続構造を有する携帯端末装置及びフレキシブルプリント配線板を提供する。【解決手段】  ２つの筐体１０，１６内にそれぞれ備え、コネクタ受部５８を具備する回路基板２６と、該回路基板のコネクタ受部にそれぞれ接続されるコネクタ２４を備え、各回路基板同士を電気的に接続するフレキシブルプリント配線板５０とを有し、該フレキシブルプリント配線板は、少なくとも一方のコネクタを有する部分を含む長さ方向の一定の範囲に幅が拡張された拡幅部６０が形成され、前記拡幅部内にはその幅方向に延びるスリット６４を有するようにした。【選択図】      図１
2005136328.tif 000002
【特許請求の範囲】
【請求項１】
２つの筐体が互いに重ね合わされた状態と、当該重ね合わせ状態から互いの対向面を外部に露出させた状態を取り得るように連結された携帯端末装置において、
前記２つの筐体内にそれぞれ備え、コネクタ受部を具備する回路基板と、該回路基板のコネクタ受部にそれぞれ接続されるコネクタを備え、各回路基板同士を電気的に接続するフレキシブルプリント配線板とを有し、
該フレキシブルプリント配線板は、少なくとも一方のコネクタを有する部分を含む長さ方向の一定の範囲に幅が拡張された拡幅部が形成され、前記拡幅部内にはその幅方向に延びるスリットを有することを特徴とする携帯端末装置。
【請求項２】
前記フレキシブルプリント配線板の拡幅部に備えるコネクタが接続されるコネクタ受部を有する回路基板上であって、前記フレキシブルプリント配線板が配される位置に前記コネクタ受部と同等又は若干高さの高い部品を有し、前記拡幅部に備えるコネクタを前記コネクタ受部に接続したとき、前記スリットが前記コネクタ受部と前記部品との間に配されるようにしたことを特徴とする請求項１に記載の携帯端末装置。
【請求項３】
前記スリットが、前記フレキシブルプリント配線板の拡幅部以外の長さ部分の幅の寸法よりも若干長く形成されると共に、前記拡幅部の両側部が、前記フレキシブルプリント配線板の拡幅部以外部分の幅とほぼ同じ幅となるように幅方向に折り畳んであることを特徴とする請求項２に記載の携帯端末装置。
【請求項４】
携帯端末装置を形成する２つの筐体内のそれぞれの回路基板間を回路接続し、少なくともその長さ方向の一方の端部に回路接続用のコネクタが固着されるフレキシブルプリント配線板であって、
前記コネクタが固着される部分を含む長さ方向の一定の範囲に幅が拡張された拡幅部が形成され、
前記拡幅部に、当該拡幅部の幅方向に長さを有するスリットが形成される
ことを特徴とするフレキシブルプリント配線板。
【請求項５】
前記スリットが、前記フレキシブルプリント配線板の拡幅部以外の長さ部分の幅の寸法よりも若干長く形成されると共に、
前記拡幅部が、前記フレキシブルプリント配線板の拡幅部以外の部分の幅とほぼ同じ幅となるように幅方向に折り畳まれるようにした
請求項４に記載のフレキシブルプリント配線板。
【発明の詳細な説明】
【技術分野】
【０００１】
本発明は、２つの筐体を有し、これら２つの筐体内に備える回路基板同士をフレキシブルプリント配線板を介して電気的に接続する、携帯電話機等の携帯端末装置及びこれに用いるフレキシブルプリント配線板に関する。
【背景技術】
【０００２】
折り畳み型携帯端末装置としては、例えば、図１に示すような折り畳み型携帯電話機２がある。この折り畳み型携帯電話機２は、ヒンジ部４を介して、スピーカー６やＬＣＤ（液晶ディスプレイ）等の表示部８を有する第１筐体１０と、マイクロホン１２や操作部１４を有する第２筐体１６が、折り畳み自在に連結されるようになっている。
【０００３】
折り畳み型携帯電話機２の、第１筐体１０及び第２筐体１６のそれぞれには、図示しないが、電子回路の基板が内蔵されており、これらは互いに回路接続されている必要がある。そして、第１筐体１０と第２筐体１６がヒンジ部４で開閉動作を行なうようになっていることに鑑みて、その回路接続には、柔軟性を有するフレキシブルプリント配線板が用いられ、ヒンジ部４の内部を通るようになっている。このフレキシブルプリント配線板には、第１筐体１０内の回路基板と第２筐体１６内の回路基板との間を回路接続する配線が、多数プリントされている。
【０００４】
そして、このような第１筐体１０及び第２筐体１６のいずれか一方、又は両方の内部の電子回路の基板と、フレキシブルプリント配線板との回路接続の具体的な方法としては、例えば図６に示すように、フレキシブルプリント配線板２０の端部２２に固着されている回路接続用のコネクタ２４の各ピン（図示せず）を、回路基板２６側のコネクタ２８の各孔（図示せず）に嵌合させることにより、回路接続するようになっている（例えば、特許文献１参照）。
【０００５】
一方、近時において、このような折り畳み型携帯電話機２は、図示しないが、表示部８以外にも他の表示部を設けたり、撮像機能のためのＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を備えたりするようにして、多機能化がますます進んでいる。これに伴ない、フレキシブルプリント配線板２０により、第１筐体１０と第２筐体１６内の回路基板間を接続する配線の本数を増加させる必要が生じていた。
【０００６】
しかしながら、このフレキシブルプリント配線板２０は、ヒンジ部４の内部を通るようになっているため、フレキシブルプリント配線板２０にプリントする配線の本数を増やすために、その幅を広げることとすると、ヒンジ部４の構造的な強度の低下を招いたり、或いは折り畳み型携帯電話機２の大型化を招くことになる。また、フレキシブルプリント配線板２０に固着されているコネクタ２４のピンの本数にも制限がある。
【０００７】
そのため、フレキシブルプリント配線板２０の幅を広げずに、プリントする配線の本数を増加させるために、図７に示すように、前記と同様の位置で回路接続されているフレキシブルプリント配線板２０の他に、別のフレキシブルプリント配線板３０を上に重ねて配置するようにしたものがある。そして、別のフレキシブルプリント配線板３０に固着されているコネクタ３４は、フレキシブルプリント配線板２０の延長線上であってこの配線板２０のコネクタ２４からずらした位置において、回路基板２６側のコネクタ３８に回路接続するようになっている。
【特許文献１】特開２００２−１２４７７９号公報
【発明の開示】
【発明が解決しようとする課題】
【０００８】
しかしながら、上記折り畳み型携帯電話機２は、従来からその小型化や薄型化が常に要求されていること、また、フレキシブルプリント配線板２０，３０のコネクタ２４，３４は、第１筐体１０及び第２筐体１６それぞれの内部の、回路基板２６の各素子よりもヒンジ部４の近傍で回路接続する必要があること等から、回路基板２６側のコネクタ２８及び３８は、ヒンジ部４の近傍の狭い位置で、互いに近接するように配置される場合が多い。
【０００９】
このような場合には、図８に示すように、フレキシブルプリント配線板２０のコネクタ２４、及び、フレキシブルプリント配線板３０のコネクタ３４をそれぞれ、回路基板２６側のコネクタ２８及び３８と回路接続しようとしたときに、フレキシブルプリント配線板３０が、Ａの位置において、フレキシブルプリント配線板２０の上に乗り上げて干渉してしまい、同時にＢの位置において、配線板２０，３０間に隙間ができてしまう。
【００１０】
このため、フレキシブルプリント配線板３０は、柔軟性を有しているとはいえ、回路基板２６側のコネクタ２８と３８が近接しているために、フレキシブルプリント配線板２０に乗り上げて部分的に押し上げられるよう干渉するので、コネクタ３４のコネクタ２４側端部が浮き上がって、回路基板２６側のコネクタ３８から部分的に離れて、コネクタ３４とコネクタ３８が確実に回路接続できないおそれがあるという問題があった。
【００１１】
また、このように、フレキシブルプリント配線板２０の上に、フレキシブルプリント配線板３０が乗り上げるような場合だけでなく、フレキシブルプリント配線板３０が、そのコネクタ３４の近傍に配置される何等かの部品の上に乗り上げてしまう場合にも、同様の問題が生じる。
【００１２】
そこで本発明は、上記問題点に鑑みて、折畳み自在にされる２つの筐体内の、それぞれの回路基板間を回路接続するフレキシブルプリント配線板が、その回路接続用のコネクタの近傍に配置される何等かの部品の上に乗り上げてしまうおそれのある状況にあっても、そのコネクタが筐体内の回路基板側のコネクタと確実に回路接続することが可能な接続構造を有する携帯端末装置及びフレキシブルプリント配線板を提供することを課題とするものである。
【課題を解決するための手段】
【００１３】
上記課題を解決するために本発明は、
２つの筐体が互いに重ね合わされた状態と、当該重ね合わせ状態から互いの対向面を外部に露出させた状態を取り得るように連結された携帯端末装置において、
前記２つの筐体内にそれぞれ備え、コネクタ受部を具備する回路基板と、該回路基板のコネクタ受部にそれぞれ接続されるコネクタを備え、各回路基板同士を電気的に接続するフレキシブルプリント配線板とを有し、
該フレキシブルプリント配線板は、少なくとも一方のコネクタを有する部分を含む長さ方向の一定の範囲に幅が拡張された拡幅部が形成され、前記拡幅部内にはその幅方向に延びるスリットを有することを特徴とするものである。
【００１４】
また、本発明による携帯端末装置は、前記フレキシブルプリント配線板の拡幅部に備えるコネクタが接続されるコネクタ受部を有する回路基板上であって、前記フレキシブルプリント配線板が配される位置に前記コネクタ受部と同等又は若干高さの高い部品を有し、前記拡幅部に備えるコネクタを前記コネクタ受部に接続したとき、前記スリットが前記コネクタ受部と前記部品との間に配されるようにすることができる。
【００１５】
また、本発明による携帯端末装置は、前記スリットが、前記フレキシブルプリント配線板の拡幅部以外の長さ部分の幅の寸法よりも若干長く形成されると共に、前記拡幅部の両側部が、前記フレキシブルプリント配線板の拡幅部以外部分の幅とほぼ同じ幅となるように幅方向に折り畳まれるようにすることができる。
【００１６】
また、本発明は、
携帯端末装置を形成する２つの筐体内のそれぞれの回路基板間を回路接続し、少なくともその長さ方向の一方の端部に回路接続用のコネクタが固着されるフレキシブルプリント配線板であって、
前記コネクタが固着される部分を含む長さ方向の一定の範囲に幅が拡張された拡幅部が形成され、
前記拡幅部に、当該拡幅部の幅方向に長さを有するスリットが形成されるようにしたことを特徴とするものである。
【００１７】
また、本発明によるフレキシブルプリント配線板は、
前記スリットが、前記フレキシブルプリント配線板の拡幅部以外の長さ部分の幅の寸法よりも若干長く形成されると共に、
前記拡幅部が、前記フレキシブルプリント配線板の拡幅部以外の部分の幅とほぼ同じ幅となるように幅方向に折り畳まれるようにすることができる。
【発明の効果】
【００１８】
本発明のフレキシブルプリント配線板によれば、配線板が回路接続用のコネクタの近傍に配置される何らかの部品上に乗り上げてしまう場合であっても、拡幅部に形成されたスリットによって前記部品により押し上げられる側の配線板により拡幅部のコネクタ側が引っ張られ、配線板の回路接続用のコネクタが回路基板側のコネクタ受部から浮いてしまうといったことを防止することができる。
【００１９】
それ故、本発明の携帯端末装置によれば、配線板が回路接続用のコネクタの近傍に配置される何らかの部品上に乗り上げてしまう場合であっても、配線板の回路接続用のコネクタと回路基板側のコネクタ受部との電気的接触を確実に行なうことができ、信頼性を高めることができる。
【発明を実施するための最良の形態】
【００２０】
以下、本発明に係る携帯端末装置及びフレキシブルプリント配線板の実施の形態について、図面に基づいて具体的に説明する。
【００２１】
図１ないし図５は、本発明の一実施の形態に係る折り畳み型携帯電話機２（携帯端末装置に相当）及びフレキシブルプリント配線板５０について説明するために参照する図である。
【００２２】
図１に示すように、本実施の形態に係る折り畳み型携帯電話機２は、従来のものと外観上の相違はないため、重複する説明は省略する。この折り畳み型携帯電話機２の第１筐体１０及び第２筐体１６は、それぞれの内部の回路基板２６が互いに回路接続されるようにするため、従来と同様のフレキシブルプリント配線板２０、及び本実施の形態に係るフレキシブルプリント配線板５０が用いられている。
【００２３】
そして、図２ないし図５に示すように、本実施の形態に係るフレキシブルプリント配線板５０は、従来のフレキシブルプリント配線板３０と同様に、フレキシブルプリント配線板２０の上に重ねて配置される。これらの図に示すフレキシブルプリント配線板５０について、従来のフレキシブルプリント配線板３０と同様の部分や構成についての重複する説明は省略するものとする。
【００２４】
図２における、本発明の一実施の形態に係るフレキシブルプリント配線板５０は、そのコネクタ５４と回路基板２６側のコネクタ受部５８とを回路接続する前の状態を示している。このフレキシブルプリント配線板５０は、その下側のフレキシブルプリント配線板２０の上に重なるようにして、第１筐体１０内及び第２筐体１６内のそれぞれの回路基板２６間を回路接続するようになっている。
【００２５】
このようなフレキシブルプリント配線板５０は、コネクタ５４が固着されている端部を含む長さ方向の一定の範囲における幅が、他の部分６２の幅よりも拡張されている拡幅部６０が形成されている。また、この拡幅部６０以外の他の部分６２は、その下側のフレキシブルプリント配線板２０と同じ幅となっている。
【００２６】
そして、このフレキシブルプリント配線板５０の拡幅部６０には、その長さが上記他の部分６２の幅よりも若干長くなるようなスリット６４が形成され、このスリット６４は、その長さ方向が拡幅部６０の幅方向と一致するような方向に形成されている。
【００２７】
そして、このスリット６４は、このフレキシブルプリント配線板５０のコネクタ５４と回路基板２６側のコネクタ受部５８を接続したときに、コネクタ５４とフレキシブルプリント配線板２０のコネクタ２４との中間の位置に形成されるようになっている。そのため、図３に示すように、フレキシブルプリント配線板５０の配線６６は、このスリット６４を迂回するように配置されている。
【００２８】
このような、フレキシブルプリント配線板５０によれば、そのコネクタ５４と回路基板２６側のコネクタ受部５８を回路接続するときに、その配線板５０の拡幅部６０におけるコネクタ５４と前記他の部分６２の間の部分が、下側のフレキシブルプリント配線板２０の上に乗り上げて干渉しても、スリット６４により遮断されて、その柔軟性により配線板５０のコネクタ５４側のみを下方に押し付けてコネクタ５４をコネクタ受部５８に隙間なく接続することが可能となるので、コネクタ５４をコネクタ受部５８に確実に回路接続することができる。
【００２９】
なお、本実施の形態では、フレキシブルプリント配線板５０の長さ方向において、スリット６４が、コネクタ５４と、フレキシブルプリント配線板２０のコネクタ２４との間の中間の位置に形成されるようにしたが、このスリット６４は、その幅方向の一部がコネクタ２４と重なるように形成されてもよい。
【００３０】
次に、図４に示すように、このフレキシブルプリント配線板５０の拡幅部６０を、前記他の部分６２の幅とほぼ同じ幅になるように幅方向に折り畳むようにしてもよい。ここで、スリット６４は、その長さが他の部分６２の幅よりも若干長く形成されているので、拡幅部６０を折り畳んだときに、このスリット６４の両端部も折り返されるようになっている。
【００３１】
このようにした場合であっても、コネクタ５４を回路基板２６側のコネクタ受部５８に接続するときには、図５に示すように、折り畳んだ拡幅部６０におけるコネクタ５４と他の部分６２の間の部分が、下側のフレキシブルプリント配線板２０に乗り上げて干渉しても、スリット６４により遮断されて、その柔軟性により配線板５０のコネクタ５４側のみを下方に押し付けてコネクタ５４をコネクタ受部５８に隙間なく接続することが可能となるので、コネクタ５４をコネクタ受部５８に確実に回路接続することができる。
【００３２】
すなわち、このように拡幅部６０を折り畳んだ場合にも、折り畳まなかった場合と同様に、配線板５０のコネクタ５４側のみを下方に押し付けることが可能となるので、コネクタ５４をコネクタ受部５８に確実に回路接続することができる。
【００３３】
また、このように拡幅部６０を中央部６２の幅とほぼ同じ幅に折り畳むようにした場合には、この折り畳んだ部分が周囲の部品等を覆ってしまうことがなくなり、部品等の組付けや検査等の作業効率が低減することを防止することができる。
【００３４】
なお、本実施の形態においては、フレキシブルプリント配線板５０がフレキシブルプリント配線板２０の上に乗り上げてしまうような場合について説明したが、フレキシブルプリント配線板５０が、そのコネクタ５４の近傍に配置される何等かの部品の上に乗り上げるような場合であっても、本発明を適用することができることはいうまでもない。
【図面の簡単な説明】
【００３５】
【図１】本発明の一実施の形態に係る折り畳み型携帯電話機２を示す斜視図である。
【図２】本発明の一実施の形態に係るフレキシブルプリント配線板５０を示す斜視図である。
【図３】図２に示すフレキシブルプリント配線板５０の配線６６を示す平面図である。。
【図４】図２に示すフレキシブルプリント配線板５０の拡幅部６０を折り畳んだ状態を示す斜視図である。
【図５】図２に示すフレキシブルプリント配線板５０を回路基板２６に回路接続した状態を示す側面図である。
【図６】従来のフレキシブルプリント配線板２０を示す斜視図である。
【図７】従来のフレキシブルプリント配線板２０，３０を示す斜視図である。
【図８】図７に示すフレキシブルプリント配線板２０，３０を示す側面図である。
【符号の説明】
【００３６】
２  折り畳み型携帯電話機
４  ヒンジ部
６  スピーカー
８  表示部
１０  第１筐体
１２  マイクロホン
１４  操作部
１６  第２筐体
２０  フレキシブルプリント配線板
２２  端部
２４  コネクタ
２６  回路基板
２８  コネクタ
３０  フレキシブルプリント配線板
３４，３８  コネクタ
５０  フレキシブルプリント配線板
５４  コネクタ
５８  コネクタ受部
６０  拡幅部
６２  他の部分
６４  スリット
６６  配線
【図１】
2005136328.tif 000003
【図２】
2005136328.tif 000004
【図３】
2005136328.tif 000005
【図４】
2005136328.tif 000006
【図５】
2005136328.tif 000007
【図６】
2005136328.tif 000008
【図７】
2005136328.tif 000009
【図８】
2005136328.tif 000010